【手続補正書】
【提出日】平成20年4月3日(2008.4.3)
【手続補正１】
【補正対象書類名】特許請求の範囲
【補正対象項目名】全文
【補正方法】変更
【補正の内容】
【特許請求の範囲】
【請求項１】
無線地上符号分割多元接続（ＣＤＭＡ）通信システムにおいて、時間フレームごとに複数の順次的な時間スロットを備える予め決められた時間フレームフォーマットで同期符号が送信局から受信局に通信され、前記送信局における方法であって、
前記予め決められた時間フレームフォーマットの第１の時間スロットの同期チャネルにおいて前記同期符号に対応する第１の信号を第１のアンテナから送信することと、
前記予め決められた時間フレームフォーマットの第２の時間スロットの同期チャネルにおいて前記同期符号に対応する第２の信号を前記第１のアンテナから離間した第２のアンテナから送信することであって、前記第２の時間スロットは前記予め決められた時間フレームフォーマットに対して前記第１の時間スロット後に生じることと
を備えることを特徴とする方法。
【請求項２】
無線地上符号分割多元接続（ＣＤＭＡ）通信システムにおいて、時間フレームごとに複数の順次的な時間スロットを備える予め決められた時間フレームフォーマットで同期符号が送信局から受信局に送られ、前記送信局における方法であって、
前記予め決められた時間フレームフォーマットの第１の時間スロットの同期チャネルにおいて前記同期符号に対応する第１の信号を第１のアンテナから送信することと、
前記予め決められた時間フレームフォーマットの第２の時間スロットの同期チャネルにおいて前記同期符号に対応する第２の信号を前記第１のアンテナから離間した第２のアンテナから送信することであって、前記第２の時間スロットは前記予め決められた時間フレームフォーマットに対して前記第１の時間スロット後に生じることと
を備えることを特徴とする方法。
【請求項３】
請求項１によるＣＤＭＡシステム送信局の方法であって、前記同期符号は、前記第１の信号の送信に先立って第１の系列と合成され、前記同期符号は、前記第２の信号の送信に先立って第２の系列と合成されることを特徴とする方法。
【請求項４】
無線地上符号分割多元接続（ＣＤＭＡ）通信システムにおいて、共通制御チャネルで制御データが送信局から複数の加入者局に通信され、
前記送信局から前記共通制御チャネルを介して第１のデータを有する第１の制御データ信号を第１のアンテナから送信することと、
前記送信局から前記共通制御チャネルを介して、送られ、処理された前記第１のデータを有する第２の制御データ信号を前記第１のアンテナから空間的に異なった第２のアンテナから送信することとを備え、
前記第１のデータの少なくとも１つのシンボルは、前記第２のアンテナ上で異なる時間に少なくとも１つの対応するシンボルとして送信され、
前記第１のアンテナ上で送信される前記少なくとも１つのシンボルを拡散する拡散系列は、前記第２のアンテナ上の前記対応する少なくとも１つのシンボルを拡散するために継続されることを特徴とする方法。
【請求項５】
請求項４による方法であって、前記複数の加入者局の１つは、前記第１および第２の信号の対応するシンボルが合成されるように前記共通制御チャネルを受信することを特徴とする方法。
【請求項６】
請求項５による方法であって、前記１つの加入者局は、前記共通制御チャネルを介して呼出しを受信することを特徴とする方法。
【請求項７】
請求項４による方法であって、前記共通制御チャネルは、時間フレームにおいて複数の時間スロットを有し、前記送信局が前記時間フレームの少なくとも１つの時間スロットで何ら信号を送信しないことを特徴とする方法。
【請求項８】
請求項７による方法であって、前記複数の加入者局の１つは、前記送信局が何ら信号を送信しない前記少なくとも１つの時間スロットの期間に測定を行うことを特徴とする方法。
【請求項９】
請求項８による方法であって、前記測定は、到達時間差の計算を促進する際の使用のためにＣＤＭＡ信号の測定を含むことを特徴とする方法。
【請求項１０】
請求項９による方法であって、前記複数の加入者局の１つは、到達時間差を促進する測定に関する情報を前記送信局に送り、前記送信局が前記送られた情報に基づいて前記加入者局の位置を判定することを特徴とする方法。
【請求項１１】
送信ダイバーシチを利用する地上セルラーシステムにおいてデータを通信するための符号分割多元接続（ＣＤＭＡ）送信局であって、共通制御チャネルを介して第１のデータ系列を第１のアンテナ上で送信し、前記共通制御チャネルを介して、処理された前記第１のデータ系列を有する第２のデータ系列を第２のアンテナ上で送信するように構成された送信機を備え、前記第１のデータの少なくとも１つのシンボルは、前記第２のアンテナ上で異なる時間に少なくとも１つの対応するシンボルとして送信され、前記第１のアンテナ上で送信される前記少なくとも１つのシンボルの拡散系列は、前記第２のアンテナ上の前記対応する少なくとも１つのシンボルを拡散するために継続され、前記第２のアンテナは前記第１のアンテナから離間されたことを特徴とするＣＤＭＡ送信局。
【請求項１２】
送信ダイバーシチを利用する地上セルラーシステムにおいて時間フレームごとに複数の順次的な時間スロットを備える予め決められた時間フレームフォーマットで同期符号を通信するための符号分割多元接続（ＣＤＭＡ）送信局であって、同期チャネルにおいて前記予め決められた時間フレームフォーマットの第１の時間スロットで前記同期符号に対応する第１の信号を送信し、前記同期チャネルにおいて前記予め決められた時間フレームフォーマットの第２の時間スロットで前記同期符号に対応する第２の信号を送信し、前記第２の時間スロットは前記予め決められた時間フレームフォーマットに対して前記第１の時間スロット後に生じるように構成された送信機を備え、前記送信機は、前記第１の信号が送信される第１のアンテナと、前記第２の信号が送信される、前記第１のアンテナから離間した第２のアンテナを含むことを特徴とするＣＤＭＡ送信局。
【請求項１３】
請求項１１によるＣＤＭＡシステムのための送信局であって、前記共通制御チャネルは、時間フレームの中に複数の時間スロットを有し、前記送信機は、前記時間フレームの少なくとも１つの時間スロットにおいて何ら信号を送信しないように構成されたことを特徴とするＣＤＭＡ送信局。
【請求項１４】
送信ダイバーシチを利用するセルラーシステムにおいてデータを通信するための送信局であって、共通制御チャネルを介して第１のデータを有する第１の制御データ信号を送信し、前記共通制御チャネルを介して、送られ、処理された前記第１のデータを有する第２の制御データ信号を前記第１のアンテナから空間的に異なった第２のアンテナから送信するよう構成され、前記第１のアンテナ上で送信された少なくとも１つのシンボルが前記第２のアンテナ上で異なる時間に少なくとも１つの対応するシンボルとして送信され、前記第１のアンテナ上で送信された前記少なくとも１つのシンボルを拡散するための拡散系列は、前記第２のアンテナ上の前記対応する少なくとも１つのシンボルを拡散するために継続されることを特徴とする送信局。
【請求項１５】
請求項１４による送信局であって、前記第１および第２のデータは、加入者局の呼出しを有することを特徴とする送信局。
【請求項１６】
請求項１４による送信局であって、加入者局から秘匿化された位置情報を受信するように構成された受信機をさらに備えたことを特徴とする送信局。
【請求項１７】
請求項１６による送信局であって、前記共通制御チャネルは、前記時間フレームの中に複数の時間スロットを有し、前記送信局は、前記時間フレームの少なくとも１つの時間スロットで何ら信号を送信しないことを特徴とする送信局。
【請求項１８】
請求項１７による送信局であって、到達時間差判定を促進する測定および全地球測位システム情報を加入者局から受信するように構成された受信機をさらに備えたことを特徴とする送信局。
【請求項１９】
請求項１１による送信局であって、前記共通制御チャネルは、時間フレームの中に複数の時間スロットを有し、前記送信機は、前記時間フレームの少なくとも１つの時間スロットで何ら信号を送信せず、前記送信局は、到達時間差判定を促進するために加入者局からＣＤＭＡ信号の測定を受信するように構成された受信器を含み、前記受信した測定を用いて前記加入者局の位置を判定するコントローラを含むことを特徴とする送信局。
【請求項２０】
請求項１９による送信局であって、前記送信機は、前記加入者局の判定された位置の位置情報を前記加入者に送信するように構成されたことを特徴とする送信局。
【請求項２１】
請求項１１による送信局であって、到達時間差情報判定を促進するＣＤＭＡ信号の測定および全地球測位システム情報を加入者局から受信するように構成された受信機をさらに備えたことを特徴とする送信局。
【請求項２２】
符号分割多元接続（ＣＤＭＡ）加入者局であって、
複数の時間スロットの第１のものの期間に第１の信号を受信し、前記複数の時間スロットの第２のものの期間に第２の信号を受信し、前記第１の信号が第１の符号系列と合成されたビット系列を含む第１の系列を搬送し、前記第２の信号が同期情報および第２の系列を搬送し、前記第２の系列が第２の符号系列と合成されたビット系列を含むように構成された受信機であって、
前記複数の時間スロットは、フレームに含まれ、前記第１および第２の信号が複数のアンテナのそれぞれの第１および第２のものによって送信され、前記複数のアンテナが送信局と関連付けられ、前記受信機は、前記第１および第２の信号から導出した第１の情報を利用することによってＣＤＭＡ制御チャネルのダイバーシチ送信されたデータをダイバーシチ合成するように構成された受信機と、
前記送信機に関連付けられた第２の情報を導出し、前記同期情報および前記ＣＤＭＡ制御チャネルが前記送信局の複数のアンテナによって送信されるように構成されたコントローラと
を備えたことを特徴とするＣＤＭＡ加入者局。
【請求項２３】
請求項２２に記載のＣＤＭＡ加入者局であって、前記第１の符号系列は、前記第２の符号系列と同一であることを特徴とするＣＤＭＡ加入者局。
【請求項２４】
請求項２２に記載のＣＤＭＡ加入者局であって、前記第１および第２の符号系列は、互いに異なることを特徴とするＣＤＭＡ加入者局。
【請求項２５】
請求項２２に記載のＣＤＭＡ加入者局であって、前記受信機は、前記ビット系列を検出するように構成されていることを特徴とするＣＤＭＡ加入者局。
【請求項２６】
請求項２５に記載のＣＤＭＡ加入者局であって、前記受信機は、前記複数の時間スロットの第１のものまたは前記複数の時間スロットの第２のもののいずれかと関連付けられた、前記検出されたビット系列を選択することを特徴とするＣＤＭＡ加入者局。
【請求項２７】
請求項２５に記載のＣＤＭＡ加入者局であって、前記ビット系列は、同期符号に対応することを特徴とするＣＤＭＡ加入者局。
【請求項２８】
請求項２２に記載のＣＤＭＡ加入者局であって、前記第１の系列は、第１の同期符号系列であり、前記第２の系列は、第２の同期符号系列であることを特徴するＣＤＭＡ加入者局。
【請求項２９】
請求項２２に記載のＣＤＭＡ加入者局であって、前記フレームは、第１のフレームであり、前記送信局は、複数の送信局の１つであり、前記コントローラが前記複数の送信局と関連付けられたダウンリンクＣＤＭＡ送信の測定を促進するように動作可能であり、前記ダウンリンクＣＤＭＡ送信が前記複数の送信局の前記１つと関連付けられたダウンリンクＣＤＭＡ送信以外であり、前記コントローラが前記測定に基づいて到達時間差を計算し、前記測定が第２のフレームの少なくとも１つの時間スロットの期間に生じ、前記複数の送信局の前記１つと関連付けられた前記ダウンリンクＣＤＭＡ送信は前記第２のフレームの前記少なくとも１つの時間スロットの期間に送信されないことを特徴とするＣＤＭＡ加入者局。
【請求項３０】
請求項２９に記載のＣＤＭＡ加入者局であって、全地球測位システム（ＧＰＳ）情報を受信するように構成されたＧＰＳ受信機と、前記ＧＰＳ情報を単一の送信局に送信する送信機とをさらに備えたことを特徴とするＣＤＭＡ加入者局。
【請求項３１】
請求項２９に記載のＣＤＭＡ加入者局であって、前記受信機は、前記複数の送信局の前記１つから位置情報を受信するように構成されていることを特徴とするＣＤＭＡ加入者局。
【請求項３２】
請求項２２に記載のＣＤＭＡ加入者局であって、前記ＣＤＭＡ制御チャネルは、シンボルを含み、前記ＣＤＭＡ加入者局は、前記ＣＤＭＡ制御チャネルの前記シンボルをダイバーシチ合成するように構成されたコンバイナをさらに含むことを特徴とするＣＤＭＡ加入者局。
【請求項３３】
請求項２２に記載のＣＤＭＡ加入者局であって、前記ＣＤＭＡ加入者局は、時分割多元接続（ＴＤＭＡ）無線通信を行うように構成されていることを特徴とするＣＤＭＡ加入者局。
【請求項３４】
請求項３２に記載のＣＤＭＡ加入者局であって、前記コントローラは、前記ダイバーシチ合成に先立って前記シンボルの少なくとも１つを遅延するように動作可能であることを特徴とするＣＤＭＡ加入者局。
【請求項３５】
符号分割多元接続（ＣＤＭＡ）加入者局で、複数の時間スロットの第１のものの期間に第１の信号を、前記複数の時間スロットの第２のものの期間に第２の信号を受信することであって、前記第２の信号が同期情報を搬送し、前記複数の時間スロットがフレームに含まれ、前記第１および第２の信号が複数のアンテナの第１および第２のそれぞれのものによって送信され、前記複数のアンテナが１つの送信局と関連付けられていることと、
前記第１の信号によって搬送された第１の系列および前記第２の信号によって搬送された第２の系列を検出することであって、前記第１の系列が共通のビット系列をから導出され、前記第２の系列が前記共通のビット系列から導出されることと、
ダイバーシチ送信されたデータをダイバーシチ合成することであって、前記ダイバーシチ送信されたデータがＣＤＭＡ制御チャネルによって搬送され、前記ダイバーシチ合成が前記第１および第２の信号から導出された第１の情報を利用することと、
前記送信局と関連付けられた第２の情報を導出することであって、前記同期情報および前記ＣＤＭＡ制御情報が前記１つの送信局の前記複数のアンテナによって送信されることと
を備えることを特徴とする方法。
【請求項３６】
請求項３５に記載の方法であって、前記第１および第２の信号は両方とも、符号系列と合成された前記共通のビット系列を含む合成系列を搬送することを特徴とする方法。
【請求項３７】
請求項３５に記載の方法であって、前記第１および第２の系列は、互いに異なることを特徴とする方法。
【請求項３８】
請求項３５に記載の方法であって、前記検出は、前記共通のビット系列を検出することを特徴とする方法。
【請求項３９】
請求項３８に記載の方法であって、前記複数の時間スロットの前記第１のものまたは前記複数の時間スロットの前記第２のもののいずれかと関連付けられた、前記検出された共通のビット系列を選択することをさらに備えることを特徴とする方法。
【請求項４０】
請求項３９に記載の方法であって、前記共通のビット系列は、同期符号に対応することを特徴とする方法。
【請求項４１】
請求項３８に記載の方法であって、前記共通のビット系列は、同期符号系列であり、前記ＣＤＭＡ加入者局が前記同期符号系列を使用して前記送信局の出力に同期することを特徴とする方法。
【請求項４２】
請求項３７に記載の方法であって、前記符号系列は、同期符号系列であることを特徴とする方法。
【請求項４３】
符号分割多元接続（ＣＤＭＡ）加入者局であって、
複数の時間スロットの第１のものの期間に第１の同期符号系列を、前記複数の時間スロットの第２のものの期間に第２の同期符号系列を受信するように構成された受信機であって、前記第１および第２の同期符号系列がビット系列から導出され、前記複数の時間スロットがフレームに含まれ、前記第１および第２の同期符号系列が同期チャネルと関連付けられ、
前記受信機がＣＤＭＡ制御チャネルのダイバーシチ送信されたデータをダイバーシチ合成するようにさらに構成され、前記ダイバーシチ合成が前記第１および第２の同期符号系列から導出された第１の情報を利用し、前記ＣＤＭＡチャネルおよび前記同期チャネルが基地局と関連付けられた複数のアンテナによって送信される受信機と、
前記基地局と関連付けられた第２の情報を導出するように構成されたコントローラとを備え、前記基地局は、前記複数のアンテナの第１および第２のそれぞれのものから前記第１または第２の同期符号系列を送信することを特徴とするＣＤＭＡ加入者局。
【請求項４４】
請求項４３に記載のＣＤＭＡ加入者局であって、前記第１および第２の同期符号系列は両方とも、前記ビット系列および符号系列の合成を含むことを特徴とするＣＤＭＡ加入者局。
【請求項４５】
請求項４３に記載のＣＤＭＡ加入者局であって、前記第１の同期符号系列は、前記ビット系列および第１の符号系列の合成を含み、前記第２の同期符号系列は、前記ビット系列および第２の符号系列の合成を含み、前記第１および第２の符号系列が互いに異なることを特徴とするＣＤＭＡ加入者局。
【請求項４６】
請求項４３に記載のＣＤＭＡ加入者局であって、前記受信機は、前記ビット系列を検出するように構成されたことを特徴とするＣＤＭＡ加入者局。
【請求項４７】
請求項４６に記載のＣＤＭＡ加入者局であって、前記受信機は、前記複数の時間スロットの前記第１のものまたは前記複数の時間スロットの前記第２のもののいずれかと関連付けられた、前記検出されたビット系列を選択することを特徴とするＣＤＭＡ加入者局。
【請求項４８】
請求項４６に記載のＣＤＭＡ加入者局であって、前記ビット系列は、第３の同期符号に対応することを特徴とするＣＤＭＡ加入者局。
【請求項４９】
請求項４３に記載のＣＤＭＡ加入者局であって、前記フレームは、第１のフレームであり、前記基地局は、複数の基地局の１つであり、前記コントローラが前記複数の基地局と関連付けられたダウンリンクＣＤＭＡ送信の測定を促進するように動作可能であり、前記ダウンリンクＣＤＭＡ送信が前記複数の送信局の前記１つと関連付けられたダウンリンクＣＤＭＡ送信以外であり、前記コントローラが前記測定に基づいて到達時間差を計算し、前記測定が第２のフレームの少なくとも１つの時間スロットにおいて生じ、前記複数の基地局の前記１つと関連付けられた前記ダウンリンクＣＤＭＡ送信は、前記第２のフレームの前記少なくとも１つの時間スロットの期間に送信されないことを特徴とするＣＤＭＡ加入者局。
【請求項５０】
請求項４９に記載のＣＤＭＡ加入者局であって、全地球測位システム（ＧＰＳ）情報を受信するように構成されたＧＰＳ受信機と、前記ＧＰＳ情報を単一の基地局に送信することをさらに備えたことを特徴とするＣＤＭＡ加入者局。
【請求項５１】
請求項４９に記載のＣＤＭＡ加入者局であって、前記受信機は、前記複数の基地局の前記１つから位置情報を受信するように構成されていることを特徴とするＣＤＭＡ加入者局。
【請求項５２】
請求項４３に記載のＣＤＭＡ加入者局であって、前記ＣＤＭＡ制御チャネルは、シンボルを含み、前記ＣＤＭＡ加入者局は、前記ＣＤＭＡ制御チャネルの前記シンボルをダイバーシチ合成するように構成されたコンバイナをさらに含むことを特徴とするＣＤＭＡ加入者局。
【請求項５３】
請求項４３に記載のＣＤＭＡ加入者局であって、前記ＣＤＭＡ加入者局は、時分割多元接続（ＴＤＭＡ）無線通信を行うように構成されていることを特徴とするＣＤＭＡ加入者局。
【請求項５４】
請求項５２に記載のＣＤＭＡ加入者局であって、前記合成に先立って前記複数のシンボルの１つを遅延するように動作可能なコントローラをさらに備え、前記遅延が前記ＣＤＭＡ共通制御チャネルの前記ダイバーシチ送信されたデータの前記ダイバーシチ合成を促進することを特徴とするＣＤＭＡ加入者局。
【請求項５５】
スペクトラム拡散加入者局における使用のためのスペクトラム拡散受信機であって、前記スペクトラム拡散受信機が基地局から送信された共通制御チャネルを受信するように構成され、前記基地局が複数の第１のアンテナを含み、前記スペクトラム拡散受信機は、
スペクトラム拡散信号を受信するための第２のアンテナと、
複数の時間スロットを介して同期符号を検出するように構成された検出回路であって、前記スペクトラム拡散信号が前記同期符号を搬送する検出回路と、
前記検出された同期符号に応答して共通制御チャネル処理回路を同期するように構成された同期およびタイミングコントローラとを備え、
前記共通制御チャネル処理回路は、
前記共通制御チャネルと関連付けられた拡散符号のローカルコピーを生成するように構成された符号発生器と、
前記受信したスペクトル拡散信号を逆拡散して逆拡散された出力を生成するように構成された相関器であって、前記拡散符号の前記ローカルコピーを、逆拡散されたスペクトラム拡散信号として使用する相関器と、
前記逆拡散された出力を受信し、共通制御チャネルシンボルとして前記逆拡散された出力を前記逆拡散された出力の遅延したバージョンと合成するように構成されたコンバイナと
を備えたことを特徴とするスペクトラム拡散受信機。
【請求項５６】
請求項５５に記載のスペクトラム拡散受信機であって、前記スペクトラム拡散受信機は、符号分割多元接続受信機であることを特徴とするスペクトラム拡散受信機。
【請求項５７】
請求項５５に記載のスペクトラム拡散受信機であって、前記複数の時間スロットは、第１の複数の時間スロットであり、前記共通制御チャネルが第２の複数の時間スロットを介して送信され、前記基地局が前記第２の複数の時間スロットの少なくとも１つの期間に前記スペクトラム拡散信号を送信しないように、前記第２の複数の時間スロットが時間フレームに含まれ、前記スペクトラム拡散受信機は、
前記第２の複数の時間スロットの前記少なくとも１つの期間に測定を行うのを促進するように動作可能なコントローラを含むことを特徴とするスペクトラム拡散受信機。
【請求項５８】
請求項５７に記載のスペクトラム拡散受信機であって、前記測定は、到達時間差を計算するためのＣＤＭＡ信号の測定を含むことを特徴とするスペクトラム拡散受信機。
【請求項５９】
請求項５８に記載のスペクトラム拡散受信機であって、前記コントローラは、前記測定に関係する情報を前記基地局に送るように動作可能であることを特徴とするスペクトラム拡散受信機。
【請求項６０】
請求項５９に記載のスペクトラム拡散受信機であって、前記受信機は、前記基地局からの位置情報を受信するように構成され、前記位置情報が前記測定から導出されることを特徴とするスペクトラム拡散受信機。
【請求項６１】
スペクトラム拡散システムにおける使用のための符号分割多元接続（ＣＤＭＡ）加入者局であって、前記ＣＤＭＡ加入者局が基地局から送信された信号を受信するように構成され、前記加入者局は、
複数の時間スロットを介してスペクトラム拡散信号を受信するためのアンテナと、
複数の同期符号を検出するように構成された検出回路であって、前記同期符号が前記スペクトラム拡散信号によって搬送され、前記複数の同期符号のそれぞれが前記複数の時間スロットの対応する１つと関連付けられている検出器と、
前記検出された複数の同期符号に応答して共通制御チャネル処理回路を同期するように構成された同期およびタイミングコントローラと
を備え、前記共通制御チャネル処理回路は、
前記受信したスペクトラム拡散信号を前記共通制御チャネルと関連付けられた拡散符号で逆拡散し、逆拡散された出力を発生するように構成されたＣＤＭＡ受信機と、
共通制御チャネルシンボルとして前記逆拡散された出力を前記逆拡散された出力の遅延したバージョンとともに受信するように構成されたコンバイナと
を備えたことを特徴とするＣＤＭＡ加入者局。
【請求項６２】
請求項６１に記載のＣＤＭＡ加入者局であって、前記コントローラは、基地局に測定を促進する到達時間差に関係する情報を送るように動作可能であることを特徴とするＣＤＭＡ加入者局。
【請求項６３】
請求項６２に記載のＣＤＭＡ加入者局であって、前記受信機は、前記基地局から位置情報を受信するように構成され、前記位置情報が前記測定から導出されることを特徴とするＣＤＭＡ加入者局。
【請求項６４】
請求項６１に記載のＣＤＭＡ加入者局であって、前記複数の時間スロットは、第１の複数の時間スロットであり、前記共通制御チャネルが第２の複数の時間スロットを介して送信され、前記基地局が前記第２の複数の時間スロットの少なくとも１つの期間に前記スペクトラム拡散信号を送信しないように、前記第２の複数の時間スロットが時間フレームに含まれ、前記ＣＤＭＡ加入者局は、
前記第２の複数の時間スロットの前記少なくとも１つの期間に測定を行うのを促進するように動作可能なコントローラをさらに備えたことを特徴とするＣＤＭＡ加入者局。
【請求項６５】
加入者局にて符号分割多元接続（ＣＤＭＡ）信号を受信するための方法であって、前記ＣＤＭＡ信号が基地局から送信され、前記方法は、
複数の時間スロットを介してスペクトラム拡散信号を受信することと、
複数の同期符号を検出することであって、前記同期符号がスペクトラム拡散信号によって搬送され、前記複数の同期符号のそれぞれが前記複数の時間スロットの対応する１つと関連付けられていることと、
前記検出された複数の同期符号に応答してダイバーシチ送信された共通制御チャネルの処理を同期することと
を備え、前記ダイバーシチ送信された共通制御チャネルの処理を同期することは、
受信したスペクトラム拡散信号を逆拡散して出力逆拡散信号を発生することと、
共通制御チャネルシンボルとして前記出力逆拡散信号を前記出力逆拡散信号の遅延したバージョンと合成することと
を備えたことを特徴とする方法。
【請求項６６】
請求項６５に記載の方法であって、前記複数の時間スロットは、第１の複数の時間スロットであり、前記共通制御チャネルが第２の複数の時間スロットを介して送信され、前記基地局が前記第２の複数の時間スロットの少なくとも１つの期間に前記スペクトラム拡散信号を送信しないように、前記第２の複数の時間スロットが時間フレームに含まれ、前記方法は、
前記第２の複数の時間スロットの前記少なくとも１つの期間に測定を行うことをさらに備えることを特徴とする方法。
【請求項６７】
地上無線符号多元接続通信システムにおける使用のための無線符号分割多元接続（ＣＤＭＡ）加入者局であって、
ダイバーシチ送信された同期チャネルを受信する受信機であって、前記ダイバーシチ送信された同期チャネルが複数の同期符号を搬送し、前記複数の同期符号のそれぞれが複数の時間スロットの対応する１つと関連付けられ、前記送信機が前記複数の同期符号を検出するように構成され、前記受信機はダイバーシチ送信された共通制御チャネルを対応するＣＤＭＡ符号で逆拡散し、前記逆拡散された共通制御チャネルがシンボルを搬送する受信機と、
前記逆拡散された共通制御チャネルを前記逆拡散された共通制御チャネルの遅延したバージョンと関連付けられたシンボルと合成して合成されたシンボルを生成するダイバーシチコンバイナと、
前記ダイバーシチ送信された共通制御チャネルのダイバーシチ合成が促進されるように前記受信機および前記コンバイナを制御する同期コントローラと
を備えたことを特徴とする無線ＣＤＭＡ加入者局。
【請求項６８】
時間フレームごとに複数の順次的な時間スロットを備える予め決められた時間フレームフォーマットで複数のデータ信号を送信することによって送信ダイバーシチを利用する符号分割多元接続（ＣＤＭＡ）セルラーシステムにおいて、送信局からのデータを受信局によって受信するための方法であって、
前記時間フレームフォーマットの第１の時間スロットにおける少なくとも１つの同期シンボルに対応する第１の送信局の第１のアンテナからの第１の信号を受信することと、
前記時間フレームフォーマットの第２の時間スロットにおける同じ少なくとも１つの同期シンボルに対応する第１の送信局の第２のアンテナからの第２の信号を受信することであって、前記第２の時間スロットが前記時間フレームフォーマットに対して前記第１の時間スロットの後に生じることと、
前記受信した第１および第２のデータ信号を利用して前記受信局を前記送信局に同期することと
を備えることを特徴とする方法。
【請求項６９】
請求項６８に記載の方法であって、前記第１および第２の信号は、符号を備え、前記第１の信号および前記第２の信号は、前記符号に対応することを特徴とする方法。
【請求項７０】
送信ダイバーシチを利用する符号分割多元接続（ＣＤＭＡ）セルラーシステムのための受信局であって、複数の信号が前記ＣＤＭＡセルラーシステムにおいて送信され、前記複数の信号のそれぞれが予め決められた時間フレームフォーマットに中にあり、前記予め決められた時間フレームフォーマットが順次的な時間スロットと複数のフレームとを備え、前記複数のフレームのそれぞれが前記時間スロットの少なくとも１つと関連付けられ、前記複数の信号はデータを通信するためのものであり、前記送信局は、
第１の送信局の第１のアンテナから前記複数の信号の第１のものを受信するように構成された受信機であって、前記複数の信号の第１のものが前記時間スロットの第１のもので少なくとも１つの同期シンボルを搬送し、前記受信機は前記第１の送信局の第２のアンテナから前記複数の信号の第２のものを受信するようにも構成され、前記複数の信号の第２のものが前記時間スロットの第２のもので少なくとも１つの同期シンボルを搬送し、前記時間スロットの第２のものが前記時間フレームフォーマットに対して前記時間スロットの第１のものの後に生じ、
前記受信機は前記複数の信号の第１および第２のものを利用して前記第１の送信局との通信を促進するように構成され、前記複数の信号の第１および第２のものがダイバーシチ送信された共通制御チャネルの前記受信機による受信を促進する受信機
を備えたことを特徴とする受信局。
【請求項７１】
請求項７０に記載の受信局であって、前記第１および第２の信号は、符号を備えることを特徴とする受信局。
【請求項７２】
請求項７０に記載の受信局であって、前記受信機は、前記複数の信号の第１のものまたは前記複数の信号の第２のものから復元した前記少なくとも１つの同期シンボルを使用することによって前記ダイバーシチ送信された共通制御チャネルを受信することを特徴とする受信局。
【請求項７３】
請求項７０に記載の受信局であって、前記受信局は、前記第１および第２のアンテナから受信したＣＤＭＡデータ信号間のチップの時間差を判定することを特徴とする受信局。
【請求項７４】
請求項７３に記載の受信局であって、送信機をさらに備え、前記送信機が前記時間差を含む位置情報を前記セルラーシステムに送信するように構成されていることを特徴とする受信局。
【請求項７５】
請求項７４に記載の受信局であって、前記維持情報は、送信に先立って秘匿化されることを特徴とする受信局。
【請求項７６】
請求項７０に記載の受信局であって、前記ダイバーシチ送信された共通制御チャネルは、複数の前記時間スロットを介して供給され、前記複数の前記時間スロットが前記複数のフレームの１つと関連付けられていることを特徴とする受信局。
【請求項７７】
請求項７０に記載の受信局であって、符号分割多元接続（ＣＤＭＡ）無線通信および時分割多元接続（ＴＤＭＡ）無線通信の両方を行うように構成されたことを特徴とする受信局。
【請求項７８】
請求項７６に記載の受信局であって、前記ダイバーシチ送信された制御チャネルは、前記時間スロットの選択されたものでは送信されず、前記受信局は、前記時間スロットの前記選択されたものの期間に測定を行うように構成されたことを特徴とする受信局。